(57)【特許請求の範囲】
【請求項１】
対向配置される一対の基板と、両基板上に設けられ垂直配向型の液晶層を挟んで互いに重なり合って表示領域を形成する一対の透明電極とを備え、両透明電極の表示領域に合致する部分に夫々細長形状のスリットが該スリットの短手方向に間隔を存して複数形成され、一方の透明電極のスリットと他方の透明電極のスリットとが各スリットの短手方向に交互に配置され、前記表示領域として視角特性が異なる少なくとも２種類の領域を有する液晶表示素子において、
領域により一方の透明電極のスリットと他方の透明電極のスリットとのスリット短手方向の相対位置関係及び両透明電極のスリットの長手方向を相違させることで視角特性が異なる領域が形成されることを特徴とする液晶表示素子。
【請求項２】
前記一方の透明電極のスリットのスリット短手方向における間隔の中心位置からスリット短手方向片側にオフセットした位置に前記他方の透明電極のスリットが配置され、前記相対位置関係の相違は前記中心位置に対する他方の透明電極のスリットのオフセット方向の相違であることを特徴とする請求項１記載の液晶表示素子。
【請求項３】
前記液晶層の液晶がツイスト構造を有することを特徴とする請求項１又は２記載の液晶表示素子。
【請求項４】
前記両基板に沿わせて設ける偏光板が円偏光板であることを特徴とする請求項１又は２記載の液晶表示素子。
【発明の詳細な説明】
【技術分野】
【０００１】
本発明は、対向配置される一対の基板と、両基板上に設けられ、液晶層を挟んで互いに重なり合って表示領域を形成する一対の透明電極とを備える液晶表示素子であって、表示領域として視角特性が異なる少なくとも２種類の領域を有するものに関する。
【背景技術】
【０００２】
従来から液晶表示素子は視角特性を持つことが知られている。この視角特性は主に電圧印加時の液晶分子の挙動によって生じるものである。具体的には、誘電率異方性が正の液晶を注入した水平配向型の液晶層を有する液晶表示素子では、電圧印加によって液晶分子が立上る方向が、また、誘電率異方性が負の液晶を注入した垂直配向型の液晶層を有する液晶表示素子では、電圧印加により液晶分子が倒れ込む方向と逆方向が、より低い印加電圧でも表示が見える方向となり、通常この方向を最良視認方向と呼んでいる。この最良視認方向と逆の方向は、表示をさせようとして電圧を印加しても透過率が変化し難く、甚だ表示品位の悪い方向となってしまう。
【０００３】
ここで、水平配向型の代表的なモードであるＴＮ−ＬＣＤでは、ラビングにより液晶の配向方向が決まると共に電圧印加時の液晶分子の立上り方向を決めるのに重要なプレチルト角が付与され、ラビング方向とツイスト方向によって視角特性（最良視認方向）が決まる。また、垂直配向型の代表的なモードであるＥＣＢ−ＬＣＤでは、プレチルト角で電圧印加時の液晶分子の倒れ込み方向が決まる。プレチルト角は一般的にラビングにより付与するようにしており、そのため、ＥＣＢ−ＬＣＤでもラビング方向によって視角特性（最良視認方向）が決まる。
【０００４】
一般に一つの液晶表示素子は全面に亘って同じ視角特性を有している。これは、液晶表示素子を構成する一対の基板の夫々に対して全面に亘り同一方向の１回のラビングが施されるためである。然し、用途によっては、表示領域として視角特性が異なる少なくとも２種類の領域を有する液晶表示素子が必要になることがある。
【０００５】
この場合、従来は、各基板の１回目のラビング後に、視角特性を変えたい領域に合致する開口を持つマスクで各基板を覆い、この状態で１回目とは異なる方向にラビングし、これにより各基板にラビング方向が異なる領域を設けている。然し、これでは、一連の量産ラインの中でラビング工程を繰り返すことが必要になり、量産性を著しく損なってしまい、結果としてコスト高を招いてしまう。
【０００６】
ところで、従来、広視角化のために、透明電極にスリットを形成したものが知られている（例えば、特許文献１，２参照）。これを図１、図２を参照して説明する。図１で１，２は一対の基板であり、両基板１，２上には、液晶層３を挟んで互いに重なり合って表示領域を形成する一対の透明電極４，５が設けられている。両透明電極４，５の表示領域に合致する部分には、図２に示す如く、細長形状のスリット６，７がスリット短手方向に間隔を存して複数形成されている。そして、一方の透明電極４のスリット６と他方の透明電極５のスリット７とがスリット短手方向に等間隔で交互に配置される。
【０００７】
このものでは、電圧印加時に、両透明電極４，５間に、図１に点線で示す如く、各スリット６，７を境にして傾き方向が逆になる斜め電界が発生する。そして、液晶層３が垂直配向型であれば、図３に示す如く、液晶分子ＬＣが各スリット６，７を境にして逆方向に倒れ込むことになり、所謂２ドメイン配向構造が実現されて視角特性が広視角化される。また、液晶層３がＴＮ型等の水平配向型であれば、液晶分子は各スリットを境にして逆方向から立上ることになり、この場合も２ドメイン配向構造が実現されて視角特性が広視角化される。
【特許文献１】特許第３１０８７６８号公報
【特許文献２】特開２００４−２５２２９８号公報
【発明の開示】
【発明が解決しようとする課題】
【０００８】
本発明は、上述した透明電極のスリットの技術を利用し、ラビングを繰り返すことなく視角特性の異なる領域を形成できるようにした低コストの液晶表示素子を提供することをその課題としている。
【課題を解決するための手段】
【０００９】
本発明は、対向配置される一対の基板と、両基板上に設けられ垂直配向型の液晶層を挟んで互いに重なり合って表示領域を形成する一対の透明電極とを備え、両透明電極の表示領域に合致する部分に夫々細長形状のスリットが該スリットの短手方向に間隔を存して複数形成され、一方の透明電極のスリットと他方の透明電極のスリットとが各スリットの短手方向に交互に配置され、前記表示領域として視角特性が異なる少なくとも２種類の領域を有する液晶表示素子において、領域により一方の透明電極のスリットと他方の透明電極のスリットとのスリット短手方向の相対位置関係及び両透明電極のスリットの長手方向を相違させることで視角特性が異なる領域が形成されることを特徴とする。
【００１１】
ここで、一方の透明電極のスリットの短手方向における間隔の中心位置から短手方向片側にオフセットした位置に他方の透明電極のスリットが配置されていれば、一方の透明電極のスリットと他方の透明電極のスリットとの間の間隔が広い部分と狭い部分とができる。そして、間隔が広い部分に生ずる斜め電界の影響が支配的になり、この斜め電界の傾き方向により視角特性（最良視認方向）が決定される。
【００１２】
従って、本発明における相対位置関係の相違として、一方の透明電極のスリットの短手方向における間隔の中心位置に対する他方の透明電極のオフセット方向を相違させれば、前記オフセット方向が異なる領域では、上記間隔が広い部分に生ずる斜め電界の傾き方向が変わり、視角特性も変わる。
また、一方の透明電極のスリットの短手方向における間隔の中心位置から短手方向片側にオフセットした位置に他方の透明電極のスリットが配置されていれば、スリットの長手方向が異なる領域では、上記間隔が広い部分に生ずる斜め電界の傾き方向が当然に変わり、視角特性も変わる。
かくして、ラビングを繰り返さなくても視角特性が異なる少なくとも２種類の領域を形成することができ、コストダウンを図ることができる。
【００１３】
ここで、液晶層が水平配向型である場合は、液晶分子の立上り方向が、ラビングにより規制される配向方向片側とその反対側の２方向に制限されるのに対し、液晶層が垂直配向型であれば、液晶分子は任意の方向に倒れ込み得るため、本発明を適用できる。
【００１４】
但し、液晶層が垂直配向型で、これに本発明を適用しても、そのままでは、偏光板の透過軸方位又はこれと直交する方位に最良視認方向を持ってくることはできない。これは、電圧印加により偏光板透過軸と平行な又は直交する方向に液晶分子が倒れ込む場合は、透過率変化を生じないからである。
これに対し、液晶層の液晶がツイスト構造を有するものであれば、或いは偏光板が円偏光板であれば、上述した最良視認方向の制限を解除でき、各領域の視角特性の設定の自由度が増す。
【発明を実施するための最良の形態】
【００１５】
先ず、水平配向型の代表なモードであるＴＮ型の液晶表示素子を第１実施形態として説明する。
この液晶表示素子は、図４に示す如く、ガラス製の背面側基板１と、背面側基板１に対向するガラス製の前面側基板２とを備え、両基板１，２間にシール材３ａで囲われた液晶層３が設けられている。背面側基板１上には、セグメント電極となる背面側透明電極４が設けられ、前面側基板２上には、コモン電極となる前面側透明電極５が設けられている。そして、両透明電極４，５が液晶層３を挟んで重なり合い、この重なり合う部分で表示領域が形成される。また、両透明電極４，５の表示領域に合致する部分には、夫々、後述するスリット６，７が形成されている。
【００１６】
液晶表示素子の製造に際しては、各基板１，２上に各透明電極４，５を覆うようにして水平配向膜（例えば、日産化学工業製ＳＥ−４１０）を塗布焼成し、次いで、各基板１，２をラビングする。その後、各基板１，２にシール材３ａを塗布し、更に、所定の直径（例えば、９μｍ）のギャップコントロール材を散布した後、両基板１，２を重ね合わせてシール材３ａを硬化させる。次に、両基板１，２間の空セルに誘電率異方性が正の液晶（例えば、メルク社製の複屈折率０．２５の液晶）を注入して水平配向型の液晶層３を形成する。その後、背面側基板１の外側に背面側偏光板８を貼り合わせると共に、前面側基板２の外側に前面側偏光板９を貼り合わせる。
【００１７】
図７を参照して、背面側基板１のラビング方向Ｒ１は左右方向に対し左下方に４５°傾斜した方向であり、前面側基板２のラビング方向Ｒ２は左右方向に対し左上方に４５°傾斜した方向である。また、液晶のツイスト方向は左巻き（図７で反時計方向）であって、液晶層３の厚さ方向中央部の液晶分子の配向方向は図７で左右方向になる。ここで、両基板１，２のラビング方向Ｒ１，Ｒ２のうち一方は通常とは反対向きになっている。これにより、液晶分子は液晶層３の厚さ方向にスプレイ配向し、液晶層３の厚さ方向中央部の液晶分子のプレチルト角が０°になって、後述する斜め電界の傾き方向に応じて液晶分子が左右何れの方向にも立上るようになる。また、背面側偏光板８の透過軸８ａと前面側偏光板９の透過軸９ａは共に背面側基板１のラビング方向Ｒ１に平行な平行ニコルの配置であり、そのためノーマルブラックの液晶表示素子となる。
【００１８】
ここで、第１実施形態では、シール材３ａで囲われる一つの液晶層３に対応する表示領域、即ち、一つのセルの表示領域を左右２つの領域１０Ｌ，１０Ｒに区画して、両領域１０Ｌ，１０Ｒの視角特性を異ならせている。以下、この点について詳述する。
【００１９】
図５（ａ）（ｂ）を参照して、背面側と前面側の両透明電極４，５には、夫々、細長形状のスリット６，７がスリット長手方向たる図５の上下方向とスリット短手方向たる図５の左右方向に間隔を存して複数形成されている。スリット６，７の具体的寸法を例示すると、スリット６，７のスリット長手方向の長さ（スリット長）が１００μｍ、スリット６，７のスリット短手方向の幅（スリット幅）が２０μｍ、スリット６間のスリット長手方向間隔及びスリット７間のスリット長手方向間隔が２０μｍ、スリット６間のスリット短手方向間隔及びスリット７間のスリット短手方向間隔が１００μｍである。尚、各スリット６，７をスリット長手方向に間隔を存して配置したのは、この間隔を電路部として電極抵抗を低減するためであるが、各スリット６，７をスリット長手方向に連続した形状に形成することも可能である。
【００２０】
これら背面側透明電極４のスリット６と前面側透明電極５のスリット７はスリット短手方向たる左右方向に交互に配置される。但し、背面側透明電極４のスリット６と前面側透明電極５のスリット７とは左右方向に等間隔で交互に配置されておらず、左側の領域１０Ｌと右側の領域１０Ｒとで背面側透明電極４のスリット６と前面側透明電極５のスリット７との左右方向における相対位置関係が異なる。より具体的には、背面側透明電極４のスリット６の左右方向の間隔の中心位置から左右方向片側にオフセットした位置に前面側透明電極５のスリット７を配置して、背面側透明電極４のスリット６と前面側透明電極５のスリット７との左右方向の間隔が広く（例えば、７０μｍ）なる部分と狭く（例えば、１０μｍ）なる部分とができるようにしている。そして、背面側透明電極４のスリット６の間隔中心位置に対する前面側透明電極５のスリット７のオフセット方向を左側の領域１０Ｌでは図５（ａ）に示す如く右側にし、右側の領域１０Ｒでは図５（ｂ）に示す如く左側にしている。
【００２１】
電圧印加時には、各スリット６，７を境にして傾き方向が左右逆になる斜め電界が発生する。そして、左側の領域１０Ｌでは、背面側透明電極４のスリット６の間隔中心位置に対する前面側透明電極５のスリット７の右側へのオフセットにより、図６（ａ）に示す如く、左側に傾いた斜め電界ＥＬの発生面積の方が右側に傾いた斜め電界ＥＲの発生面積より広くなる。また、右側の領域１０Ｒでは、背面側透明電極４のスリット６の間隔中心位置に対する前面側透明電極５のスリット７の左側へのオフセットにより、図６（ｂ）に示す如く、右側に傾いた斜め電界ＥＲの発生面積の方が左側に傾いた斜め電界ＥＬの発生面積より広くなる。ここで、発生面積の広い斜め電界での液晶分子の挙動が視角特性に対し支配的影響を与える。そして、左側の領域１０Ｌでは、発生面積が広い左側に傾いた斜め電界ＥＬで液晶分子が左上がりに立上るため、最良視認方向は図７に矢印ＳＬで示す左方向となり、また、右側の領域１０Ｒでは、発生面積が広い右側に傾いた斜め電界ＥＲで液晶分子が右上がりに立上るため、最良視認方向は図７に矢印ＳＲで示す右方向になる。
【００２２】
このように第１実施形態によれば、視角特性の異なる領域を有するＴＮ型液晶表示素子をラビングを繰り返すことなく製造でき、コストダウンを図ることができる。また、従来のようにラビング方向を変えて視角特性の異なる領域を形成するものでは、視角特性が異なる領域の境界部の下地の部分の配向が微妙に異なるため、深い角度から見るとこの境界部が視認されてしまい表示品位が悪くなるが、第１実施形態では、表示領域の全域に亘り同一の配向処理が施されるため、視角特性が異なる領域の境界部でも下地の見え方に差は生じず、表示品位が良好になる。
【００２３】
次に、垂直配向型の代表的なモードであるＥＣＢ型の液晶表示素子を第２実施形態として説明する。図８は第２実施形態の断面構造を示しており、上記第１実施形態と同様の部材に上記と同一の符号を付している。
第２実施形態においても、背面側と前面側の両透明電極４，５に、左側の領域１０Ｌに合致する部分において、図５（ａ）に示す配列でスリット６，７を形成すると共に、右側の領域１０Ｒに合致する部分において、図５（ｂ）に示す配列でスリット６，７を形成している。
【００２４】
第２実施形態の液晶表示素子の製造に際しては、各基板１，２上に各透明電極４，５を覆うようにして垂直配向膜（例えば、日産化学工業製ＳＥ−１２１１）を塗布焼成し、次いで、各基板１，２にシール材３ａを塗布し、更に、所定の直径（例えば、４μｍ）のギャップコントロール材を散布した後、両基板１，２を重ね合わせてシール材３ａを硬化させる。次に、両基板１，２間の空セルに誘電率異方性が負の液晶（例えば、メルク社製の複屈折率０．１の液晶）を注入して垂直配向型の液晶層３を形成する。その後、背面側基板１の外側に背面側偏光板８を貼り合わせると共に、前面側基板２の外側に負の一軸フィルムから成る視角補償板１１（例えば、住友化学工業製ＶＡＣ−１８０フィルム）と前面側偏光板９とを重ねて貼り合わせる。
【００２５】
図９に示す如く、背面側偏光板８の透過軸８ａは上下方向に対し時計方向に４５°傾斜した方向、前面側偏光板９の透過軸９ａは上下方向に対し反時計方向に４５°傾斜した方向であり、両透過軸８ａ，９ａが直交ニコルの配置となって、ノーマルブラックの液晶表示素子になる。
【００２６】
電圧印加時には、左側の領域１０Ｌに第１実施形態と同様の図６（ａ）に示す斜め電界が発生し、左側に傾く斜め電界ＥＬの発生面積が右側に傾く斜め電界ＥＲの発生面積より広くなり、また、右側の領域１０Ｒに第１実施形態と同様の図６（ｂ）に示す斜め電界が発生し、右側に傾く斜め電界ＥＲの発生面積が左側に傾く斜め電界ＥＬの発生面積より広くなる。従って、左側の領域１０Ｌの最良視認方向は、発生面積の広い左側に傾く斜め電界ＥＬの影響で図９に矢印ＳＬで示す左方向になり、右側の領域１０Ｒでは、発生面積の広い右側に傾く斜め電界ＥＲの影響で図９に矢印ＳＲで示す右方向になる。
【００２７】
ここで、第１実施形態では１回ではあるがラビングが必要になるのに対し、第２実施形態では、垂直配向型であることからラビングが不要であり、コスト的に有利である。また、表示領域の全域に亘り同一の配向処理（垂直配向処理）が施されるため、視角特性が異なる領域の境界部でも下地の見え方に差は生じず、表示品位が良好になる。以上の効果は後述する第３乃至第５実施形態のものにおいても得られる。
【００２８】
次に、第３実施形態の液晶表示素子について説明する。この液晶表示素子はＥＣＢ型であって、第２実施形態と同様の図８に示す断面構造になっており、第２実施形態と同様の方法で製造される。また、背面側と前面側の両偏光板８，９の透過軸８ａ，９ａも、図１１に示す如く、第２実施形態と同様の直交ニコルの配置になっている。
【００２９】
第３実施形態と第２実施形態との相違点は、図１０（ａ）（ｂ）に示す如く、背面側と前面側の両透明電極４，５のスリット６，７の長手方向が、左側の領域１０Ｌと右側の領域１０Ｒとで相違することである。即ち、スリット６，７の長手方向が、左側の領域１０Ｌでは、第１、第２実施形態と同様に上下方向になっているが、右側の領域１０Ｒでは、左右方向になっている。
そして、左側の領域１０Ｌでは、背面側透明電極４のスリット６の間隔中心に対する前面側透明電極５のスリットのオフセット方向が右側で、発生面積の広い斜め電界の傾き方向が左側になるため、最良視認方向は図１１の矢印ＳＬで示す左方向になる。また、右側の領域１０Ｒでは、背面側透明電極４のスリット６の間隔中心に対する前面側透明電極５のスリットのオフセット方向が上側で、発生面積の広い斜め電界の傾き方向が下側になるため、最良視認方向は図１１に矢印ＳＲで示す下方向になる。
【００３０】
尚、水平配向型の液晶表示素子では、視角特性を決定する液晶層の厚さ方向中央部の液晶分子の立上り方向がこの液晶分子の配向方向片側と反対側の２方向に限定される。従って、液晶層の厚さ方向中央部の液晶分子の配向方向が左右方向である場合に、スリット６，７の長手方向を左右方向にして上側と下側に傾く斜め電界を発生させても、液晶分子は斜め電界に応じた方向には立上らず、最良視認方向を上下方向に持ってくることはできない。その結果、水平配向型液晶表示素子では最良視認方向が１８０°異なる領域しか形成できない。これに対し、垂直配向型の液晶表示素子では、液晶分子が任意の方向に倒れ込み得るため、第３実施形態のように最良視認方向が９０°異なる領域も形成できる。
【００３１】
但し、垂直配向型の液晶表示素子であっても、偏光板８，９の透過軸８ａ，９ａの方位若しくは直角な方位に最良視認方向を持ってくることはできない。これは、偏光板８，９の透過軸８ａ，９ａと平行若しくは直交する方向に液晶分子が電圧印加で倒れ込んでも透過率変化を生じないからである。従って、第２実施形態や第３実施形態のように単純なネマティック液晶と通常の偏光板のみを用いる場合には、最良視認方向が４５°異なる領域は形成できない。そこで、特別な工夫を施して、最良視認方向が４５°異なる領域を形成した第４、第５実施形態について以下説明する。
【００３２】
第４実施形態の液晶表示素子はＥＣＢ型であって、第２実施形態と同様の図８に示す断面構造になっており、液晶を除いて第２実施形態と同様の方法で製造される。第４実施形態で用いる液晶は誘電率異方性が負の液晶にカイラル材を加えたものであり、液晶がツイスト構造になる。加えるカイラル材の量は、液晶層３の厚さｄと液晶の自然ピッチｐとの比（ｄ／ｐ）が０．５になるように調整した。また、図１２（ａ）（ｂ）に示す如く、背面側と前面側の両透明電極４，５のスリット６，７の長手方向を、左側の領域１０Ｌでは上下方向とし、右側の領域１０Ｒでは上下方向に対し反時計方向に４５°傾いた方向にしている。背面側と前面側の両偏光板８，９の透過軸８ａ，９ａは、図１３に示す如く、第２実施形態と同様の直交ニコルの配置になっている。
【００３３】
第４実施形態では、左側の領域１０Ｌの最良視認方向が図１３に矢印ＳＬで示す左方向になり、右側の領域１０Ｒの最良視認方向が図１３に矢印ＳＲで示すように左下方に４５°傾いた方位になる。右側の領域１０Ｒの最良視認方向は偏光板８、９の透過軸８ａ，９ａの一方に平行で他方に直角な方位であるが、液晶層３の液晶がツイスト構造になることで旋光性が得られ、このような方位に最良視認方向を持ってくることができる。
【００３４】
尚、カイラル材を加えない液晶を用いた場合には、左下方からは表示を視認できなかった。また、第４実施形態ではｄ／ｐの値を０．５に設定したが、この値を変えて実験したところ、ｄ／ｐが０．２以上であれば同様の効果が得られることが分かった。但し、ｄ／ｐが０．７５以上になると垂直配向を得ることができなくなる。従って、第４実施形態に適するｄ／ｐの値は０．２以上０．７５未満ということになる。
【００３５】
第５実施形態の液晶表示素子はＥＣＢ型であって、その断面構造は図１４に示す通りであり、スリット６，７の配列及び偏光板８，９を除いて第２実施形態と同様の構造になっており、第２実施形態と同様の方法で製造される。第４実施形態で用いる偏光板８，９は円偏光を生成する円偏光板であり、直線偏光の偏光板８１，９１に１／４波長板８２，９２を貼り合わせた構造になっている。また、背面側と前面側の両透明電極４，５に、左側の領域１０Ｌに合致する部分において、第４実施形態と同様の図１２（ａ）に示す配列でスリット６，７を形成すると共に、右側の領域１０Ｒに合致する部分において、第４実施形態と同様の図１２（ｂ）に示す配列でスリット６，７を形成している。
【００３６】
第５実施形態でも、第４実施形態と同様に、左側の領域１０Ｌの最良視認方向が図１５に矢印ＳＬで示す左方向になり、右側の領域１０Ｒの最良視認方向が図１５に矢印ＳＲで示すように左下方に４５°傾いた方位になる。
【００３７】
尚、第４実施形態と第５実施形態では、左側の領域１０Ｌと右側の領域１０Ｒとで最良視認方向が４５°異なるようにしているが、液晶を第４実施形態のようにツイスト構造を有するものにし、また、偏光板８，９を第５実施形態のように円偏光板で構成すれば、両領域１０Ｌ，１０Ｒの最良視認方向の角度差を任意に設定でき、更には、視角特性が異なる３種類以上の領域を形成することも可能である。
【００３８】
又、上記実施形態では、１つのセルの表示領域を視角特性の異なる領域に区画するようにしたが、セル毎に表示領域の視角特性を異ならせる場合にも同様に本発明を適用できる。
【図面の簡単な説明】
【００３９】
【図１】電極にスリットを形成した液晶表示素子の従来例の模式的断面図。
【図２】従来例のスリットの配列を示す説明図。
【図３】斜め電界による液晶分子の挙動を示す断面図。
【図４】本発明の第１実施形態の液晶表示素子の断面図。
【図５】第１、第２実施形態の液晶表示素子に共通するスリットの配列を示す説明図。
【図６】第１、第２実施形態の液晶表示素子に共通する斜め電界の発生状況を示す断面図。
【図７】第１実施形態の液晶表示素子における偏光板の透過軸と最良視認方向を示す説明図。
【図８】第２乃至第４実施形態に共通する液晶表示素子の断面図。
【図９】第２実施形態の液晶表示素子における偏光板の透過軸と最良視認方向を示す説明図。
【図１０】第３実施形態の液晶表示素子のスリットの配列を示す説明図。
【図１１】第３実施形態の液晶表示素子における偏光板の透過軸と最良視認方向を示す説明図。
【図１２】第４実施形態の液晶表示素子のスリットの配列を示す説明図。
【図１３】第４実施形態の液晶表示素子における偏光板の透過軸と最良視認方向を示す説明図。
【図１４】第５実施形態の液晶表示素子の断面図。
【図１５】第５実施形態の液晶表示素子における最良視認方向を示す説明図。
【符号の説明】
【００４０】
１，２…基板、３…液晶層、４，５…透明電極、６，７…スリット、８，９…偏光板、１０Ｌ，１０Ｒ…視角特性の異なる領域。
【図１】
0004846401.tif 000002
【図２】
0004846401.tif 000003
【図３】
0004846401.tif 000004
【図４】
0004846401.tif 000005
【図５】
0004846401.tif 000006
【図６】
0004846401.tif 000007
【図７】
0004846401.tif 000008
【図８】
0004846401.tif 000009
【図９】
0004846401.tif 000010
【図１０】
0004846401.tif 000011
【図１１】
0004846401.tif 000012
【図１２】
0004846401.tif 000013
【図１３】
0004846401.tif 000014
【図１４】
0004846401.tif 000015
【図１５】
0004846401.tif 000016